(57)【要約】【課題】既設の排水管に防音処理を施す場合に、施工時の作業性が良好で、高い防音効果を得て、しかも、施工後の室内における圧迫感を減少させる。【解決手段】既設の排水管に防音処理を施すための排水管用防音装置１は、接続部以外の部分を覆う上側防音材１１と、少なくとも接続部を覆う下側防音材１０とを備えている。下側防音材１０の硬質外装材１９は、排水管１００と内装材２７との間に空隙部を形成するように、上側防音材１１の硬質外装材３２よりも大きく形成されている。【選択図】図２
2012057763.tif 000002
【特許請求の範囲】
【請求項１】
複数の配管部材が接続された既設の排水管に防音処理を施すための排水管用防音装置において、
配管部材の接続部以外の部分を覆う第１防音材と、
配管部材の少なくとも接続部を覆う第２防音材とを備え、
上記第１防音材は、配管部材に面するように配置される吸音材及び該吸音材の配管部材とは反対側に配置される遮音材を有する第１内装材と、配管部材を覆うように予め成形されるとともに配管部材側に上記第１内装材が取り付けられる第１硬質外装材とを備え、
上記第２防音材は、配管部材に面するように配置される吸音材及び該吸音材の配管部材とは反対側に配置される遮音材を有する第２内装材と、配管部材を覆うように予め成形されるとともに配管部材側に上記第２内装材が取り付けられる第２硬質外装材とを備え、
上記第２硬質外装材は、配管部材の接続部を収容し、配管部材と上記第２内装材との間に空隙部を形成するように、上記第１硬質外装材よりも大きく形成されていることを特徴とする排水管用防音装置。
【請求項２】
請求項１に記載の排水管用防音装置において、
配管部材の枝管部を覆う分岐管用防音材を備え、
分岐管用防音部材は、分岐管に面するように配置される吸音材及び該吸音材の分岐管とは反対側に配置される遮音材を有する分岐管用内装材と、分岐管を覆うように予め成形されるとともに分岐管側に上記分岐管用内装材が取り付けられる分岐管用硬質外装材とを備え、
上記分岐管用硬質外装材は、第２硬質外装材に接続されることを特徴とする排水管用防音装置。
【請求項３】
請求項１または２に記載の排水管用防音装置において、
第１防音材及び第２防音材は互いに分離可能に接続されていることを特徴とする排水管用防音装置。
【請求項４】
請求項１から３のいずれか１つに記載の排水管用防音装置において、
第１硬質外装材は、配管部材の径方向に分割された第１及び第２分割体を結合して構成されていることを特徴とする排水管用防音装置。
【請求項５】
請求項１から４のいずれか１つに記載の排水管用防音装置において、
第２硬質外装材には、配管部材をその径方向に挿入するための開放部が設けられ、該開放部は室内の壁面によって覆われるように配置されることを特徴とする排水管用防音装置。
【請求項６】
請求項１から５のいずれか１つに記載の排水管用防音装置において、
第１防音材及び第２防音材は、上下方向に延びる配管部材を覆うように形成され、
上記第１防音材は上記第２防音材の上側に配置され、
上記第１防音材には、該第１防音材の上端と室内の天井面との隙間を閉塞するための隙間閉塞部材が上下方向に移動可能に設けられていることを特徴とする排水管用防音装置。
【発明の詳細な説明】
【技術分野】
【０００１】
本発明は、例えば住宅等に設けられている排水管を防音処理するための防音装置に関するものである。
【背景技術】
【０００２】
一般に、例えば、図４に示すように集合住宅に設置される水洗トイレの排水管１００は、上の階から下の階へ延びる直管１０１，１０２と、各階のトイレの排水口に接続される分岐管１０３とを備えている。集合住宅の中でも、築年数があまり経過していない新しいタイプの住宅ではパイプスペースに排水管を収容して排水音が聞こえにくくなっているが、古いタイプの住宅では、同図のように排水管１００がトイレの室内に露出しており、しかも、防音対策がなされていない場合が多い。このような露出した排水管では、排水音が聞こえやすく、住人が不快感を感じるという問題がある。特に夜間では周りの騒音が小さくなるため、排水音が耳障りな音となる。
【０００３】
このことに対し、排水管を収容するパイプスペースを室内に新たに設ける方法があるが、室内に新たにそのようなスペースを確保するのは一般には困難で、仮にパイプスペースを確保できたとしても大がかりな作業が必要でコスト高となる。
【０００４】
そこで、排水管自体に防音材を取り付けて防音対策を施す方法が考えられる。この場合に用いられる防音材としては、例えば、特許文献１、２に開示されているように排水管を覆うシート状のものが知られている。特許文献１の防音材は、遮音層及び吸音層を備えており、排水管の外周面に密着した状態で巻き付けられる。また、特許文献２の防音材は、排水管の外周面との間に空隙部が形成されるように、排水管に巻き付けられる。
【先行技術文献】
【特許文献】
【０００５】
【特許文献１】特開平１０−８５９０号公報
【特許文献２】特開２００５−２４０９１１号公報
【発明の概要】
【発明が解決しようとする課題】
【０００６】
ところが、特許文献１、２の防音材では、粘着材等を用いて排水管に巻き付ける作業が必要となる。このときに問題となるのは、粘着材を用いる作業自体が煩雑であることと、既設の排水管に対して巻き付けようとした場合に壁面と排水管との隙間が狭く、防音材の巻き付け作業が行い難いことである。
【０００７】
また、特許文献１のように排水管の外周面に密着させる場合と、特許文献２のように排水管の外周面との間に空隙部を形成する場合とで防音性能を比較した場合には、特許文献２にも開示されているように、空隙部を形成した方が効果的な防音が可能になる。
【０００８】
しかしながら、排水管と防音材との間に空隙部を形成しようとすると、防音材の外径が拡大し、室内において防音材が圧迫感を与えてしまうという問題があるので、空隙部が音の減衰効果が得られる最小の大きさにしたい。
【０００９】
また、図４に示すように排水管１００には直管１０２と分岐管１０３との接続部があるが、この接続部にはフランジ１０２ｃ，１０３ａ等が設けられていて他の部分に比べて外径が大きくなるので、壁面との隙間が一層狭くなり、特許文献１、２の防音材の巻き付け作業が行えない場合もあり得る。
【００１０】
また、直管１０２と分岐管１０３との接続部の内面には段差等が形成されることになるので、接続部においては排水の流れが乱れやすく、他の部分よりも排水音の放射度合いが大きくなりがちであり、接続部の防音対策は他の部分の防音対策よりも難しい。
【００１１】
本発明は、かかる点に鑑みてなされたものであり、その目的とするところは、既設の排水管に防音処理を施す場合に、施工時の作業性が良好で、高い防音効果を得て、しかも、施工後の室内における圧迫感を減少させることにある。
【課題を解決するための手段】
【００１２】
上記目的を達成するために、本発明は、配管部材の接続部以外の部分を覆う第１防音材と、少なくとも接続部を覆う第２防音材とに硬質外装材をそれぞれ設け、第２防音材の硬質外装材を、配管部材との間に空隙部を形成するように第１防音材の硬質外装材よりも大きくした。
【００１３】
第１の発明は、複数の配管部材が接続された既設の排水管に防音処理を施すための排水管用防音装置において、配管部材の接続部以外の部分を覆う第１防音材と、配管部材の少なくとも接続部を覆う第２防音材とを備え、上記第１防音材は、配管部材に面するように配置される吸音材及び該吸音材の配管部材とは反対側に配置される遮音材を有する第１内装材と、配管部材を覆うように予め成形されるとともに配管部材側に上記第１内装材が取り付けられる第１硬質外装材とを備え、上記第２防音材は、配管部材に面するように配置される吸音材及び該吸音材の配管部材とは反対側に配置される遮音材を有する第２内装材と、配管部材を覆うように予め成形されるとともに配管部材側に上記第２内装材が取り付けられる第２硬質外装材とを備え、上記第２硬質外装材は、配管部材の接続部を収容し、配管部材と上記第２内装材との間に空隙部を形成するように、上記第１硬質外装材よりも大きく形成されていることを特徴とするものである。
【００１４】
この構成によれば、第１硬質外装材に吸音材及び遮音材が取り付けられているので、該外装材を設置することで配管部材が吸音材及び遮音材により覆われる。このように施工時には、従来の防音材のように粘着材を用いた巻き付け作業が不要になるので、配管部材と壁面との隙間が狭い場合であっても吸音材及び遮音材を配管部材を覆うように簡単に配置することが可能になる。そして、配管部材から放射される排水音が吸音材で吸音された後、遮音材で遮音されて外部に洩れにくくなり、しかも、配管部材が第１硬質外装材に収容されることによっても排水音が外部に洩れにくくなる。これにより、高い防音効果が得られる。配管部材の接続部を覆う第２防音材についても同様である。
【００１５】
また、第２防音材の第２硬質外装材は、配管部材の接続部を収容するように大きく形成されており、第２内装材と配管部材との間に空隙部を形成している。この空隙部の形成によって排水音の減衰効果が高まるので、排水音の放射度合いが大きくなりがちな接続部の防音対策が効果的に行える。空隙部を形成するにあたっては、接続部を収容するための形状を利用しているので、第２防音材の無用な大型化が回避される。これにより、室内における圧迫感は小さなものとなる。
【００１６】
また、第１防音材は、配管部材の接続部を覆わない分、第２防音材よりも外径を小さくすることが可能になり、室内における圧迫感が小さくなる。
【００１７】
第２の発明は、第１の発明において、配管部材の枝管部を覆う分岐管用防音材を備え、分岐管用防音部材は、分岐管に面するように配置される吸音材及び該吸音材の分岐管とは反対側に配置される遮音材を有する分岐管用内装材と、分岐管を覆うように予め成形されるとともに分岐管側に上記分岐管用内装材が取り付けられる分岐管用硬質外装材とを備え、上記分岐管用硬質外装材は、第２硬質外装材に接続されることを特徴とするものである。
【００１８】
この構成によれば、分岐管用硬質外装材に吸音材及び遮音材が取り付けられているので、施工時に、配管部材と壁面との隙間が狭い場合であっても吸音材及び遮音材を、枝管部を覆うように簡単に配置することが可能になる。
【００１９】
さらに、分岐管用硬質外装材が第２硬質外装材に接続されているので、枝管部から放射される排水音が外部に洩れにくくなる。
【００２０】
第３の発明は、第１または２の発明において、第１防音材及び第２防音材は互いに分離可能に接続されていることを特徴とするものである。
【００２１】
この構成によれば、施工時に、第１防音材と第２防音材とを室内に別々に搬送して設置することが可能になる。これにより、例えば狭い室内にある排水管に対する作業性が向上する。また、排水管の点検やメンテナンスのために第１防音材や第２防音材を取り外す際にも、別々に取り外すことが可能になるので、作業性が向上する。
【００２２】
第４の発明は、第１から３のいずれか１つの発明において、第１硬質外装材は、配管部材の径方向に分割された第１及び第２分割体を結合して構成されていることを特徴とするものである。
【００２３】
この構成によれば、施工時に、第１及び第２分割体を分離した状態にしておき、これら分割体を、配管部材を挟むように配置した後、互いに結合することによって第１防音材を構成することが可能になる。よって、特に狭い室内にある排水管に対する作業性が向上する。
【００２４】
また、排水管の点検やメンテナンスのために第１防音材を取り外す際には、第１及び第２分割体を分離させることで容易に取り外すことが可能になる。
【００２５】
第５の発明は、第１から４のいずれか１つの発明において、第２硬質外装材には、配管部材をその径方向に挿入するための開放部が設けられ、該開放部は室内の壁面によって覆われるように配置されることを特徴とするものである。
【００２６】
この構成によれば、施工時に、配管部材をその径方向から第２硬質外装材の開放部を介して第２防音材の内部に挿入することが可能になる。そして、施工後は第２硬質外装材の開放部が室内の壁面によって覆われるので、排水音の洩れが抑制される。
【００２７】
第６の発明は、第１から５のいずれか１つの発明において、第１防音材及び第２防音材は、上下方向に延びる配管部材を覆うように形成され、上記第１防音材は上記第２防音材の上側に配置され、上記第１防音材には、該第１防音材の上端と室内の天井面との隙間を閉塞するための隙間閉塞部材が上下方向に移動可能に設けられていることを特徴とするものである。
【００２８】
この構成によれば、施工場所によって第１防音材の上端と天井面との隙間の大きさが異なる場合に、隙間閉塞部材を上下方向に移動させることで、様々な大きさの隙間を確実に閉塞することが可能になる。
【発明の効果】
【００２９】
第１の発明によれば、配管部材の接続部以外の部分を覆う第１防音材と、配管部材の少なくとも接続部を覆う第２防音材とが第１及び第２硬質外装材を備えているので、粘着材を用いた巻き付け作業が不要になり、施工時の作業性を良好にできる。さらに、第２硬質外装材は、配管部材の接続部を収容し、配管部材との間に空隙部を形成するように大きく形成したので、接続部を収容するための形状を利用して高い防音効果を得ることができ、このとき、配管部材の接続部以外の部分を覆う第１防音材は、接続部を覆わない分、第２防音材よりも小さな外径とすることができる。これにより、高い防音性能を確保しながら、防音装置全体としての施工後における室内での圧迫感を小さくできる。
【００３０】
第２の発明によれば、枝管部を覆う分岐管用防音材が、吸音材及び遮音材を有する分岐管用内装材と、枝管部を覆うように予め成形された分岐管用硬質外装材とを備えているので、分岐管への施工時の作業性を良好にできる。さらに、分岐管用硬質外装材を第２外装材に接続したことで、枝管部から放射される排水音が外部に洩れにくくなり、より一層高い防音性能を得ることができる。
【００３１】
第３の発明によれば、第１防音材及び第２防音材を互いに分離可能に接続したので、施工時の作業性を向上させることができるとともに、排水管の点検やメンテナンス時の作業性も向上させることができる。
【００３２】
第４の発明によれば、第１硬質外装材を、径方向に分割された第１及び第２分割体を結合して構成したので、施工時の作業性及び点検やメンテナンス時の作業性を向上させることができる。
【００３３】
第５の発明によれば、第２硬質外装材に、配管部材を径方向に挿入するための開放部を設け、この開放部を室内の壁面によって覆うようにしたので、施工時の作業性を向上させながら、排水音の洩れを抑制できる。
【００３４】
第６の発明によれば、第１防音材に、天井面との隙間を閉塞するための隙間閉塞部材を上下方向に移動可能に設けたので、施工場所によって第１防音部材の上端と天井面との隙間の大きさが異なる場合に、隙間を確実に閉塞して高い防音性能を得ることができるとともに、見栄えを向上できる。
【図面の簡単な説明】
【００３５】
【図１】実施形態にかかる防音装置が設置されたトイレの室内を示す図である。
【図２】防音装置の斜視図である。
【図３】防音装置の分解図である。
【図４】防音装置が設置される前のトイレの室内を示す図である。
【図５】下側防音材の斜視図である。
【図６】下側防音材の底面図である。
【図７】図１のVII−VII線における断面図である。
【図８】第１半割体の斜視図である。
【図９】第１半割体の端面図である。
【図１０】図１のX−X線における断面図である。
【図１１】分岐管用防音材の斜視図である。
【図１２】閉塞板の斜視図である。
【図１３】変形例にかかる上側防音材の円筒部の端面図である。
【図１４】排水音の測定要領を示す図である。
【発明を実施するための形態】
【００３６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３７】
図１は、本発明の実施形態にかかる排水管用防音装置１が設置されたトイレを示すものである。この排水管用防音装置１は、図２及び図３に示すように複数の部材を備えており、例えば集合住宅の水洗トイレが設置された室内のリフォーム工事等を行う際に既設の排水管に防音処理を施すことができるように構成されている。
【００３８】
図４に示すように、排水管１００は、上の階（例えば２階）から下の階（例えば１階）へ略鉛直に延びる第１直管（配管部材）１０１と、第１直管１０１の下端部に接続されて略鉛直に下方へ延びる第２直管（配管部材）１０２と、第２直管１０２の下端部に接続された分岐管（配管部材）１０３とを備えている。
【００３９】
第１直管１０１の下端部にはフランジ１０１ａが形成されている。第２直管１０２の上端部には、第１直管１０１のフランジ１０１ａに接するフランジ１０２ａが形成されている。第２直管１０２の上下方向中間部には、点検口１０２ｂが設けられている。第１直管１０１のフランジ１０１ａと第２直管１０２のフランジ１０２ａとはボルト及びナットにより締結されている。第１直管１０１のフランジ１０１ａと第２直管１０２のフランジ１０２ａとが接続部である。
【００４０】
第２直管１０２の下端部にはフランジ１０２ｃが形成されている。分岐管１０３の上端部には、第２直管１０２のフランジ１０２ｃに接するフランジ１０３ａが形成されている。第２直管１０２のフランジ１０２ｃと分岐管１０３のフランジ１０３ａとはボルト及びナットにより締結されている。第２直管１０２のフランジ１０２ｃと分岐管１０３のフランジ１０３ａとが接続部である。
【００４１】
分岐管１０３の枝管部１０３ｂは、水洗トイレの下部に設けられた排水口へ向かって略水平に延びている。枝管部１０３ｂの先端と水洗トイレの排水口とが接続されている。
【００４２】
築年数が古いタイプの集合住宅では、このように既設の排水管１００がトイレの室内に露出しているので、上の階からの排水音が聞こえやすく住人が不快感を感じていた。また、排水管１００を構成する第１直管１０１、第２直管１０２及び分岐管１０３は鋳鉄からなる鋳鉄管である。この鋳鉄管は、法規制によって他の材質のものに替えることはできないので、鋳鉄管に対して防音装置１を用いて防音処理を行わなければならないという制約がある。
【００４３】
防音装置１は、図１〜図３に示すように、主に第２直管１０２及び分岐管１０３を覆う下側防音材（第２防音材）１０と、第１直管１０１を覆う上側防音材（第１防音材）１１と、分岐管１０３の枝管部１０３ｂを覆う分岐管用防音材１２とを備えている。
【００４４】
まず、下側防音材１０の構造について説明する。下側防音材１０は、全体として上下方向に長い角筒状に形成された本体部１８と、本体部１８の上部に取り付けられる蓋部材２１とを備えている。
【００４５】
図５及び図６に示すように、本体部１８の上端面及び下端面は、それぞれ全体に亘って開放されている。また、本体部１８の背面は、上下方向両端部に亘って開放されており、本体部１８の水平断面は、略コ字状となっている。
【００４６】
図１に示すように、本体部１８の下端は、室内の床面に載置されるようになっている。本体部１８の上端は、第１直管１０１のフランジ１０１ａよりも若干上に位置しており、フランジ１０１ａの側面を本体部１８により完全に覆うことができるようになっている。本体部１８の高さは、少なくとも第１直管１０１のフランジ１０１ａを完全に覆うことのできる高さであればよく、施工現場に応じて変えてもよい。尚、この実施形態では、本体部１８の高さを約８００ｍｍ程度としている。
【００４７】
本体部１８の高さを上記のように設定したことで、第１直管１０１のフランジ１０１ａ、第２直管１０２のフランジ１０２ａ、１０２ｃ、分岐管１０３のフランジ１０３ａが本体部１８により覆われることになる。
【００４８】
図６に示すように、本体部１８は、硬質外装材（第２硬質外装材）１９と内装材（第２内装材）２７とを備えている。
【００４９】
硬質外装材１９は、内装材２７よりも変形しにくく、硬い硬質樹脂材を成形してなるものであり、床面においたときに外力を与えなくても自立し、成形時の形状を維持する程度の硬さを有している。
【００５０】
硬質外装材１９を構成する樹脂材の種類としては、例えば、ポリエチレン、ポリプロピレン、ポリ塩化ビニル、ポリカーボネート、アクリロニトリル・ブタジエン・スチレン樹脂、ポリメタクリル酸メチル、ポリエチレンテレフタレート、ポリスチレン等が挙げられるが、これらに限られるものではない。また、硬質外装材１９は、各種金属板で構成することも可能である。
【００５１】
図５にも示すように、硬質外装材１９は、正面板部２３と、一対の側板部２４，２４とを有しており、これら正面板部２３及び側板部２４，２４は同一材料を用いて一体成形されている。正面板部２３は、上下方向に延びる平板で構成されている。正面板部２３の下部には、上記分岐管１０３の枝管部１０３ｂを通すための略矩形の切欠部２３ａが形成されている。この切欠部２３ａの周縁部には、詳細は後述するが、図２に示すように分岐管用防音材１２が接続されるようになっている。
【００５２】
側板部２４，２４は、正面板部２３の両側縁部に連なっており、互いに略平行に上下方向に延びている。側板部２４，２４の背面側の各縁部には、互いに接近する方向に湾曲して延びる湾曲板部２４ａ，２４ａが形成されている。湾曲板部２４ａ，２４ａの間の部分が開放されている。
【００５３】
尚、本体部１８の正面板部２３や側板部２４、２４の外面には、凹凸形状による模様を付すことも可能である。
【００５４】
側板部２４，２４の背面側には、本体部１８の内方へ向けて突出して正面板部２３と略平行に上下方向に延びる内板部２４ｂ，２４ｂが形成されている。図６に示すように、内板部２４ｂ，２４ｂの先端には、突起２４ｃ，２４ｃが形成されている。
【００５５】
図５に示すように、本体部１８の背面側には、複数の固定部材２５，２５，…が設けられている。固定部材２５は、本体部１８の背面側が開放されていることに起因する本体部１８の開く方向の動き及び閉じる方向の動きを阻止するためのものであり、本体部１８を構成する材料と同様な材料からなるものである。
【００５６】
固定部材２５は、全て同じ形状とされており、本体部１８の幅方向に延びる細長い板状をなしている。図６にも示すように、固定部材２５の長手方向両端部には、本体部１８の内板部２４ｂの先端側が差し込まれる差し込み部２５ａが形成されている。差し込み部２５ａには、内板部２４ｂの突起２４ｃに係合する突起２５ｂが形成されている。固定部材２５の両差し込み部２５ａに、両側板部２４，２４の内板部２４ｂ，２４ｂを差し込んで突起２４ｃを突起２５ｂに係合させることで、固定部材２５を介して両側板部２４，２４の背面側が連結される。これにより、本体部１８の開く方向の動き及び閉じる方向の動きが阻止される。
【００５７】
また、固定部材２５には、湾曲板部２４ａを覆うように形成されたカバー部２５ｃが設けられている。
【００５８】
本体部１８の内側に上記内装材２７が取り付けられている。内装材２７は、正面板部２３の全面及び両側板部２４，２４の全面を覆うシート状に形成されている。  内装材２７は、排水管１００に面するように配置される吸音材２７ａと、吸音材２７ａの排水管１００とは反対側に配置される遮音材２７ｂとを有する２層構造となっている。
【００５９】
吸音材２７ａは、音を吸収する性質を有するものであり、例えば、フェルト、不織布、ロックウール、グラスウール、発泡材等で構成することができ、これらのうち、複数種のものを組み合わせてもよい。尚、吸音材２７ａの材質は、上記したものに限られず、音を吸収することができる材料であればよい。
【００６０】
遮音材２７ｂは、吸音材２７ａで吸音された後の音が外部に透過するのを遮断することを目的とするものである。遮音材２７ｂを構成する材料としては、例えば、ポリエチレン、ポリプロピレン等のオレフィン系樹脂、塩化ビニル樹脂等のプラスチック類が挙げられるが、これらに限られるものではなく、例えば、粘弾性を有する基材成分として、ブチルゴム、ポリイソブチレン、ポリイソプレン、ポリクロロプレン、スチレンブタジエン共重合体、エチレンプロピレン多元共重合体、ポリブタジエン、アクリルゴム、クロロスルフォン化ポリエチレン、シリコーンゴム、ウレタンゴム、エチレン酢酸ビニル、塩化ビニル、酢酸ビニル等のポリマーや、アスファルト類をベースとした組成物が挙げられる。このような基材成分に、重質炭酸カルシウム、クレー、タルク、硫酸バリウム、金属粉末等の充填材を添加することにより高密度化できる。
【００６１】
図７に示すように、硬質外装材１９の大きさは、内装材２７が排水管１００のフランジ１０１ａ、１０１ｂ、１０２ａ、１０２ｃ、１０３ａに接触しないように大きめに設定されている。これにより、内装材２７と、排水管１００との間には、排水管１００から放射される排水音を減衰するための空隙部Ｒ１が形成されることになる。
【００６２】
図５に示すように、下側防音材１０の蓋部材２１は、排水管１００の径方向に２分割された第１蓋構成部２１ａと、第２蓋構成部２１ｂとを備えている。第１蓋構成部２１ａは、本体部１８の上端開口の径方向一側を閉塞するものであり、第２蓋構成部２１ｂは、本体部１８の上端開口の径方向他側を閉塞するものである。第１蓋構成部２１ａ及び第２蓋構成部２１ｂには、半円状の切欠部２１ｃ，２１ｄがそれぞれ形成されている。第１及び第２蓋構成部２１ａ，２１ｂを合わせた状態では、切欠部２１ｃ，２１ｄにより円形の開口部が形成される。この開口部の大きさは、後述する上側防音材１１の硬質外装材３２の下端部が入るように設定されている。
【００６３】
図示しないが、蓋部材２１の裏面にも、吸音材及び遮音材を有する内装材が取り付けられている。また、図７に示すように、硬質外装材１９の開放側は内装材で覆われる。
【００６４】
次に、上側防音材１１の構造について説明する。図２及び図３に示すように、上側防音材１１は、第１直管１０１を収容する円筒部３０と、円筒部３０と室内の天井面との間の隙間を閉塞するための隙間閉塞部材３１とを備えている。
【００６５】
円筒部３０は、第１直管１０１に沿うように真っ直ぐに延びており、上端から下端に亘って略同一外径を有している。図１２に示すように、円筒部３０は、硬質外装材（第１硬質外装材）３２と、内装材（第１内装材）３３とを備えている。硬質外装材３２及び内装材３３は、上記下側防音材１０の硬質外装材１９及び内装材２７と同じ材料で構成されている。従って、上側防音材１１の硬質外装材３２も自立可能である。また、内装材３３は吸音材３３ａと遮音材３３ｂとを備えている。
【００６６】
図８や図９にも示すように、上側防音材１１の硬質外装材３２は、径方向に２分割された樋状の第１半割体（第１分割体）３５と第２半割体（第２分割体）３６とを備えている。
【００６７】
図９に示すように、第１半割体３５の周方向の一端部（図９における上側）には、径方向内方へ突出し、長手方向両端に亘って延びる板部３５ａが形成されている。板部３５ａには、第２半割体３６側へ突出する爪部３５ｂが形成されている。板部３５ａ及び爪部３５ｂは、第１半割体３５の本体部分と一体成形されている。
【００６８】
第１半割体３５の周方向の他端部（図９における下側）には、爪部３５ｂと同形状のものが差し込み可能な差し込み部３５ｃが径方向内方へ突出するように形成されている。差し込み部３５ｃの内部には、爪部３５ｂと同形状のものが係合可能な突起３５ｄが形成されている。差し込み部３５ｃ及び突起３５ｄも、第１半割体３５の本体部分と一体成形されている。
【００６９】
第１及び第２半割体３５，３６は、同じ形状であり、図１０に示すように、第２半割体３６には、板部３６ａ、爪部３６ｂ、差し込み部３６ｃ及び突起３６ｄが形成されている。従って、第１半割体３５と第２半割体３６とを合わせる際、第１半割体３５の爪部３５ｂを第２半割体３６の差し込み部３６ｃに差し込むことで爪部３５ｂと突起３６ｄとが係合し、また、第２半割体３６の爪部３６ｂを第１半割体３５の差し込み部３５ｃに差し込むことで爪部３６ｂと突起３５ｄとが係合する。これにより、第１及び第２半割体３５，３６が一体化する。
【００７０】
内装材３３は、硬質外装材３２の分割構造に対応して２つに分割されており、それぞれ第１及び第２半割体３５，３６の内面に取り付けられている。第１半割体３５の内装材３３は、第１半割体３５の周方向他端部（図１０における下側）よりも突出している。第２半割体３６の内装材３３は、第２半割体３６の周方向他端部（図１０の上側）よりも突出している。
【００７１】
このように内装材３３を配置したことで、第１及び第２半割体３５，３６を合わせた際に、第１及び第２半割体３５，３６の分割面が内装材３３によって確実に覆われることになる。
【００７２】
図１０に示すように、硬質外装材３２の外径は、内装材３３が第１直管１０１に接触しないように、かつ、フランジ１０１ａ（図７に示す）の外径よりも小さく設定されている。内装材３３と、第１直管１０１との間には、第１直管１０１から放射される排水音を減衰するための空隙部Ｒ２が形成されることになる。また、硬質外装材３２がフランジ１０１ａの外径よりも小さいため、硬質外装材３２の下端をフランジ１０１ａの上面に載置することが可能になる。
【００７３】
図２に示すように、隙間閉塞部材３１は、全体として第１直管１０１を囲む円筒状をなし、排水管１００の径方向に２分割された第１構成部３１ａと、第２構成部３１ｂとを備えている。第１構成部３１ａの上端には、天井面に接するフランジ３１ｃが形成され、第２構成部３１ｂの上端にも同様にフランジ３１ｄが形成されている。これらフランジ３１ｃ，３１ｄは、第１及び第２構成部３１ａ，３１ｂを合わせた状態で環状をなすようになっている。
【００７４】
隙間閉塞部材３１の下側は円筒部３０の上部の内側に挿入されている。隙間閉塞部材３１は、円筒部３０に挿入された状態で円筒部３０の内面に沿って上下方向に移動可能となっている。円筒部３０と天井面との間の隙間の大きさによって隙間閉塞部材３１を上下動させてフランジ３１ｃ，３１ｄを天井面に接触させることにより、隙間が閉塞される。尚、隙間閉塞部材３１は、天井面に固定してもよいし、円筒部３０に固定してもよい。
【００７５】
次に、分岐管用防音材１２の構造について説明する。図１１に示すように、分岐管用防音材１２は、分岐管１０３の枝管部１０３ｂに沿うように延びる角筒状に形成されている。分岐管用防音材１２は、硬質外装材（分岐管用硬質外装材）４０と、内装材（分岐管用内装材）４１とを備えている。硬質外装材４０及び内装材４１は、上記下側防音材１０の硬質外装材１９及び内装材２７と同じ材料で構成されている。
【００７６】
硬質外装材４０は、底板部４５と、背板部４６と、上板部４７とを有しており、これら底板部４５、背板部４６及び上板部４７が同一材料を用いて一体成形されている。硬質外装材４０の正面には、着脱式の閉塞板４９が設けられており、この閉塞板４９の着脱によって正面が開放された状態と閉塞された状態とに切り替えられる。
【００７７】
図２に示すように、硬質外装材４０の右端部には側壁部４０ａが設けられていて全体が閉塞される一方、左端部は全体が開放されている。この左端部が上記下側防音材１０の硬質外装材１９の切欠部２３ａに挿入され、硬質外装材４０と下側防音材１０の硬質外装材１９とが接続されている。
【００７８】
硬質外装材４０の底板部４５は平板で構成されている。背板部４６は、底板部４５の背面側の縁部から上方へ延びている。上板部４７は背板部４６の上縁部から正面側へ向かって底板部４５と略平行に延びている。
【００７９】
底板部４５の正面側の縁部には、上方へ向けて湾曲する湾曲板部４５ａが形成されている。底板部４５の湾曲板部４５ａよりも背面側には、上方へ突出して背板部４６と略平行に延びる内板部４５ｂ（図１１に示す）が形成されている。
【００８０】
図１１に示すように、上板部４７の正面側の縁部には、下方へ向けて湾曲する湾曲板部４７ａが形成されている。上板部４７の湾曲板部４７ａよりも背面側には、下方へ突出して背板部４６と略平行に延びる内板部４７ｂが形成されている。
【００８１】
図１２に示すように、閉塞板４９は、分岐管用防音材１２の長手方向に延びる矩形の板材からなり、右側部５０と、左側部５１とに分割されている。右側部５０の上部には、内板部４７ｂが挿入される上溝５０ａが形成され、下部には、内板部４５ｂが挿入される下溝５０ｂが形成されている。右側部５０は、内板部４５ｂ，４７ｂに沿って左右方向に移動するようになっている。また、右側部５０の左縁部には、半円状の切欠部５０ｃが形成されている。
【００８２】
左側部５１には、右側部５０と同様に、内板部４７ｂが挿入される上溝５１ａと、内板部４５ｂが挿入される下溝５１ｂとが形成されている。左側部５１も、内板部４５ｂ，４７ｂに沿って左右方向に移動するようになっている。また、左側部５１の右縁部には、上記切欠部５０ｃに対応する半円状の切欠部５１ｃが形成されている。
【００８３】
これら切欠部５０ｃ，５１ｃによって円形の開口部が形成され、この開口部にはトイレから延びる吐出管が挿入されるようになっている。
【００８４】
また、図１１に示すように、内装材４１は、硬質外装材４０の内面全体に取り付けられている。
【００８５】
次に、上記のように構成された防音装置１を設置する場合について説明する。設置前のトイレの室内には、図４に示すように排水管１００が露出している。
【００８６】
まず、下側防音材１０を取り付ける。下側防音材１０を取り付ける際には、硬質外装材１９から固定部材２５（図５に示す）を外しておく。また、室内の壁面には、下側防音材１０を固定するための固定金具（図示せず）を取り付けておく。
【００８７】
そして、本体部１８の硬質外装材１９における背面の開放側から排水管１００をその径方向に硬質外装材１９の内部へ挿入していく。排水管１００を硬質外装材１９に完全に挿入してから固定部材２５を取り付ける。その後、硬質外装材１９の開放部分が室内の壁面で覆われるように、本体部１８の向きを変え、固定金具に固定する。
【００８８】
次いで、本体部１８の上端開口部を蓋部材２１で閉塞する。蓋部材２１は、第１蓋構成部２１ａと第２蓋構成部２１ｂとに２分割されているので、排水管１００を挟むようにして取り付ける。排水管１００の第１直管１０１の本体部分は蓋部材２１の切欠部２１ｃ，２１ｄ内を通る。
【００８９】
下側防音材１０を取り付けた後、上側防音材１１を取り付ける。まず、隙間閉塞部材３１を取り付ける。このとき、第１構成部３１ａと第２構成部３１ｂとに２分割されているので、排水管１００を挟むようにして簡単に取り付けることが可能である。
【００９０】
その後、上側防音材１１の円筒部３２を取り付ける。このとき硬質外装材３２の第１半割体３５と第２半割体３６とは分割しておく。そして、第１半割体３５と第２半割体３６とで排水管１００を挟むようにして、第１半割体３５と第２半割体３６とを合わせる。すなわち、図１０に示すように、第１半割体３５の爪部３５ｂを第２半割体３６の差し込み部３６ｃに差し込み、また、第２半割体３６の爪部３６ｂを第１半割体３５の差し込み部３５ｃに差し込む。これにより、第１及び第２半割体３５，３６が一体化する。
【００９１】
第１及び第２半割体３５，３６が一体化して構成された円筒部３０は、図２に示すように、下側防音材１０の蓋部材２１の開口部に挿入される。円筒部３０の下端部は、フランジ１０１ａの上面に載置される。これによって上側防音材１１の位置決めがなされる。
【００９２】
その後、隙間閉塞部材３１のフランジ３１ｃ，３１ｄが天井面に接するまで隙間閉塞部材３１を移動させる。そして、隙間閉塞部材３１を天井面や円筒部３０に固定する。このように隙間閉塞部材３１を上下方向に移動させることができるので、設置場所によって円筒部３０の上端部と天井面との間の隙間の大きさが異なっても、円筒部３０の長さを変えることなく、隙間閉塞部材３１を移動させるだけで対応でき、低コストで済む。
【００９３】
次いで、分岐管用防音材１２を取り付ける。分岐管用防音材１２の硬質外装材４０には、閉塞板４９の右側部５０を取り付けておく。そして、硬質外装材４０の開放側（左側）から分岐管１０３の枝管部１０３ｂを挿入するとともに、トイレの吐出管を挿入する。その後、閉塞板４９の左側部５１を取り付ける。左側部５１を取り付ける際には、内板部４５ｂ，４７ｂに沿って移動させればよいので簡単に行える。閉塞板４９の右側部５０と左側部５１とを合わせることで切欠部５０ｃ，５１ｃの周縁部がトイレの吐出管の外周面に密着して隙間が殆どなくなる。
【００９４】
そして、分岐管用防音材１２の硬質外装材４０の左端部を下側防音材１０の硬質外装材１９の切欠部２３ａに挿入して両硬質外装材１９，４０を結合する。
【００９５】
このように、防音装置１を設置する際には、硬質外装材１９，３２，４０に内装材２７，３３，４１を予め取り付けているので、硬質外装材１９，３２，４０を設置することで排水管１００が内装材２７，３３，４１により覆われる。このように、施工時には、従来の防音材のように粘着材を用いた巻き付け作業が不要になるので、排水管１００と壁面との隙間が狭い場合であっても内装材２７，３３，４１を排水管１００を覆うように簡単に配置することが可能になる。
【００９６】
防音装置１が設置された状態では、図７に示すように下側防音材１０の内装材２７と排水管１００との間に空隙部Ｒ１が形成されるとともに、図１０に示すように上側防音材１１の内装材３３と排水管１００との間にも空隙部Ｒ２が形成される。上側防音材１１の硬質外装材３２よりも下側防音材１０の硬質外装材１９の方が径が大きいので、空隙部Ｒ１の方が空隙部Ｒ２よりも大きくなる。
【００９７】
また、フランジ１０１ａを収容する下側防音材１０と、フランジ１０１ａの無い部分を収容する上側防音材１１とを別体としているので、下側防音材１０のみを大きくし、上側防音材１１は小さくできる。これにより、室内における圧迫感は小さくなる。
【００９８】
次に、防音装置１の作用について説明する。例えば、上の階でトイレが使用されると、排水が下の階へ向かって排水管１００を流れる。このときに、排水管１００の外面から排水音が放射される。第１直管１０１の外面から放射された排水音は、上側防音材１１の内装材３３の吸音材３３ａに吸収され、遮音材３３ｂにより外部に洩れるのが抑制され、さらに、硬質外装材３２によっても外部に洩れるのが抑制される。また、排水管１００の第１直管１０１と吸音材３３ａとの間に空隙部Ｒ２が設けられているので、この空隙部Ｒ２の存在によって排水音の減衰効果が得られる。
【００９９】
また、第２直管１０２の外面から放射された排水音は、下側防音材１０の内装材２７の吸音材２７ａに吸収され、遮音材２７ｂにより外部に洩れるのが抑制され、さらに、硬質外装材１９によっても外部に洩れるのが抑制される。
【０１００】
下側防音材１０の内部には、フランジ１０１ａ，１０１ｂ等があり、接続部が存在している。例えば第１直管１０１と第２直管１０２との接続部の内面には、段差等ができるので、接続部において排水の流れが乱れやすく、他の部分に比べて排水音の放射度合いが大きい。この放射度合いの大きい部分の空隙部Ｒ１を大きくしているので、排水音の減衰効果が高まり、外部に洩れる排水音が小さくなる。
【０１０１】
以上説明したように、この実施形態にかかる防音装置１によれば、施工時には、従来の防音材のように粘着材を用いた巻き付け作業が不要になるので、作業性を良好にできる。そして、排水管１００から放射される排水音が吸音材２７ａ，３３ａ，４１ａで吸音された後、遮音材２７ｂ，３３ｂ，４１ｂで遮音されて外部に洩れにくくなり、しかも、排水管１００が硬質外装材１９，３２，４０に収容されることによっても排水音が外部に洩れにくくなる。これにより、高い防音効果が得られる。
【０１０２】
また、下側防音材１０の外装材１９を、フランジ１０１ａを収容するように大きく形成し、内装材２７と排水管１００との間に大きな空隙部Ｒ１を形成している。この空隙部Ｒ１の形成によって排水音の減衰効果が高まるので、排水音の放射度合いが大きくなりがちな接続部の防音対策が効果的に行える。空隙部Ｒ１を形成するにあたっては、フランジ１０１ａを収容するための形状を利用しているので、下側防音材１０の無用な大型化が回避される。これにより、室内における圧迫感は小さなものとなる。
【０１０３】
また、上側防音材１１は、フランジ１０１ａを覆わない分、下側防音材１０よりも外径を小さくすることが可能になり、室内における圧迫感を小さくできる。
【０１０４】
また、分岐管用防音材１２の硬質外装材４０に内装材４１を取り付けているので、施工時に、枝管部１０３ｂと壁面との隙間が狭い場合であっても内装材４１を簡単に配置することが可能になる。
【０１０５】
また、分岐管用防音材１２の硬質外装材４０を下側防音材１０の硬質外装材１９に接続したので、排水音が外部に洩れにくくなり、より一層高い防音性能を得ることができる。
【０１０６】
また、施工時に、下側防音材１０、上側防音材１１及び分岐管用防音材１２を室内に別々に搬送して設置することができる。これにより、狭い室内にある排水管１００に対する作業性が向上する。また、排水管１００の点検やメンテナンスのために下側防音材１０や上側防音材１１を取り外す際にも、別々に取り外すことが可能になるので、作業性が向上する。
【０１０７】
また、施工時に、上側防音材１１の円筒部３０を第１半割体３５と第２半割体３６と分割しておき、これら半割体３５，３６を、排水管１００を挟むように配置した後、互いに結合することによって上側防音材１１を構成できる。よって、特に狭い室内にある排水管１００に対する作業性が向上する。排水管１００の点検やメンテナンスのために上側防音材１１を取り外す際には、第１及び第２半割体３５，３６を分離させることで容易に取り外すことができる。
【０１０８】
また、施工時に、排水管１００をその径方向から硬質外装材１９の背面側の開放部を介して下側防音材１０の内部に挿入することが可能になる。そして、施工後は硬質外装材１９の開放部が室内の壁面によって覆われるので、排水音の洩れが抑制される。
【０１０９】
また、施工場所によって上側防音材１１の上端と天井面との間の隙間の大きさが異なる場合に、隙間閉塞部材３１を上下方向に移動させることで、様々な大きさの隙間を確実に閉塞することができる。これにより、低コストで高い防音性能を得ることができるとともに、見栄えを向上できる。
【０１１０】
尚、上記実施形態では、本発明をトイレ用の排水管に適用した場合について説明したが、これに限らず、例えば、洗面所の排水管や浴室の排水管、台所の排水管にも適用できる。
【０１１１】
また、下側防音材１０や分岐管用防音材１２の形状は角筒状以外の形状であってもよい。また、上側防音材１１の形状は円筒以外の形状であってもよく、例えば、多角形の筒状であってもよい。
【０１１２】
また、図１３に示す変形例のように、上側防音材１１の円筒部３０を構成する第１半割体３５の周方向の一端部（図１３における上側）に凹部３５ｅを形成し、他端部（図１３における下側）に凸部３５ｆを形成し、また、第２半割体３６の周方向の一端部に凹部３６ｅを形成し、他端部に凸部３６ｆを形成してもよい。第１半割体３５の凹部３５ｅに第２半割体３６の凸部３６ｆを嵌入し、第２半割体３６の凹部３６ｅに第１半割体３５の凸部３５ｆを嵌入することで両半割体３５，３６が一体化する。
【実施例】
【０１１３】
以下、実施例について説明する。
【０１１４】
排水音の測定は、図１４に示すような住宅で行った。この住宅には、２階のトイレから１階のトイレまで延びる排水管がある。１階の床面から天井面までの高さは２９５５ｍｍであった。また、２階の床の厚みは３００ｍｍであった。
【０１１５】
測定装置としてはマイクと騒音計を用いた。マイクは、リオン株式会社製のＮＡ−２９であり、１階の床面に設置したスタンドに固定した。マイクは床面から１２００ｍｍの高さに設置した。マイクは、防音装置１の上側防音材１１の外面から１０００ｍｍ離した。騒音計は、リオン株式会社製のＮＨ−１７である。測定周波数帯は、３１．５Ｈｚ〜８ｋＨｚである。動特性は、ＦＡＳＴ（ＭＡＸ）でＡ特性である。また、測定時間は１回が６秒であり、２階のトイレから排水する排水量は１回あたり１８リットルとした。
【０１１６】
【表１】
2012057763.tif 000003
【０１１７】
まず、比較例１について説明する。比較例１は、排水管に何も防音処理を施さない場合である。この場合、表１に示すように測定値は４０ｄＢとなった。聴感では排水音を顕著に聞き取ることができた。
【０１１８】
次に、比較例２について説明する。比較例２は、上側防音材１１のみ取り付けた。上側防音材１１の硬質外装材３２を２．３ｍｍ厚の硬質ＰＶＣ（ポリ塩化ビニル）で製作し、内装材３３の吸音材３３ａは、三輝工業株式会社製の５ｍｍ厚のフェルトであり、遮音材３３ｂは、三乗工業株式会社製の１ｍｍ厚のＰＶＣシートである。この場合、測定値は３６ｄＢとなった。聴感では排水音を識別することができた。
【０１１９】
次に、実施例１について説明する。実施例１では、上側防音材１１の硬質外装材３２を２．３ｍｍ厚の硬質ＰＶＣで製作し、内装材３３の吸音材３３ａを５ｍｍ厚のフェルトで製作し、遮音材３３ｂを１ｍｍ厚のＰＶＣシートで製作した。下側防音材１０及び分岐管用防音材１２の硬質外装材１９，４０は、上側防音材１１と同じであり、内装材２７，４０も上側防音材１１と同じである。この場合、測定値は２８ｄＢとなった。聴感では排水音を殆ど感じることができなかった。
【０１２０】
次に、実施例２について説明する。実施例２では、上側防音材１１の硬質外装材３２を実施例１と同じ２．３ｍｍ厚の硬質ＰＶＣで製作し、内装材３３の吸音材３３ａを浪華絹綿株式会社製の１０ｍｍ厚の不織布で製作し、遮音材３３ｂを早川ゴム株式会社製ＭＴＳ−０５の２ｍｍ厚のブチル系ゴムシートで製作した。下側防音材１０及び分岐管用防音材１２の硬質外装材１９，４０は、上側防音材１１と同じであり、内装材２７，４０も上側防音材１１と同じである。この場合、測定値は２９ｄＢとなった。聴感では排水音を殆ど感じることができなかった。
【０１２１】
次に、実施例３について説明する。実施例３では、上側防音材１１の硬質外装材３２を２ｍｍ厚のＰＣ（ポリカーボネート）で製作し、内装材３３の吸音材３３ａを１０ｍｍ厚のフェルトで製作し、遮音材３３ｂは実施例１と同じ材料で製作した。下側防音材１０及び分岐管用防音材１２の硬質外装材１９，４０は、上側防音材１１と同じであり、内装材２７，４０も上側防音材１１と同じである。この場合、測定値は２８ｄＢとなった。聴感では排水音を殆ど感じることができなかった。
【産業上の利用可能性】
【０１２２】
以上説明したように、本発明にかかる排水管用防音装置は、例えば、トイレの排水管に適用することができる。
【符号の説明】
【０１２３】
１        防音装置
１０      下側防音材（第２防音材）
１１      上側防音材（第１防音材）
１２      分岐管用防音材
１９      硬質外装材（第２硬質外装材）
２７      内装材（第２内装材）
２７ａ    吸音材
２７ｂ    遮音材
３１      隙間閉塞部材
３２      硬質外装材（第１硬質外装材）
３３      内装材（第１内装材）
３３ａ    吸音材
３３ｂ    遮音材
４０      硬質外装材
４１      内装材
４１ａ    吸音材
４１ｂ    遮音材
１００    排水管
１０１    第１直管（配管部材）
１０１ａ  フランジ（接続部）
１０２    第２直管（配管部材）
１０２ａ  フランジ（接続部）
１０３    分岐管
【図１】
2012057763.tif 000004
【図２】
2012057763.tif 000005
【図３】
2012057763.tif 000006
【図４】
2012057763.tif 000007
【図５】
2012057763.tif 000008
【図６】
2012057763.tif 000009
【図７】
2012057763.tif 000010
【図８】
2012057763.tif 000011
【図９】
2012057763.tif 000012
【図１０】
2012057763.tif 000013
【図１１】
2012057763.tif 000014
【図１２】
2012057763.tif 000015
【図１３】
2012057763.tif 000016
【図１４】
2012057763.tif 000017